(57)【要約】【課題】滑りがなくて握りやすく、且つ釣用リールを確実に保持することができる釣竿の提供。【解決手段】この釣竿２０は、釣竿本体２１と、これに設けられたリールシート２２と、元節２７に嵌め込まれたゴムチューブ３０とを有する。ゴムチューブ３０は円筒状に形成され、元節２７に密着されている。ゴムチューブ３０は、リールシート２２のシート面３５及び、元節２７のリールシート２２が設けられた部位を囲繞する。ゴムチューブ３０は、熱収縮性ゴムから構成され、いわゆる後付作業によって元節２７に装着される。【選択図】  図２
2005013060.tif 000002
【特許請求の範囲】
【請求項１】
釣竿本体と、
釣竿本体の所定部に設けられ、釣用リールが載置されるシート面が形成されたリールシートと、
上記釣竿本体の所定部に装着され、当該所定部及び上記シート面の中央部を囲繞する環状滑止部材とを備えた釣竿。
【請求項２】
上記環状滑止部材が収縮性チューブからなる請求項１に記載の釣竿。
【発明の詳細な説明】
【０００１】
【発明の属する技術の分野】
この発明は、釣竿、特に釣用リールを固定するためのリールシートが設けられた元節の構造に関するものである。
【０００２】
【従来の技術及び発明が解決しようとする課題】
図３は、従来の一般的な磯釣用釣竿の正面図である。
この釣竿１は、いわゆる振出式に構成されており、第１番節２、第２番節３、第３番節４、第４番節５及び元節６を備えている。元節６には、リールシート７が設けられている。このリールシート７は、固定フード８及び移動フード９を備えており、両者によって釣用リールの脚を挟持する。これにより、釣用リールは、元節６に確実に固定される。なお、リールシート７は、磯釣用の釣竿１以外の種々の釣竿にも装着され得るものである。
【０００３】
一般にリールシート７は、その両端部及び中央部が固定部材１０により元節６に締結固定されている。固定部材１０としては、例えば締結用糸が採用され、リールシート７の両端部及び中央部に巻回された締結用糸は、樹脂等によりコーティングされている。
ところで、実釣において釣人は、通常、このリールシート７が設けられた部分１１を把持する。このとき、上記固定部材１０は、元節６の表面に露出しており、しかも、カーボンプリプレグから構成される元節６とは材質が異なることから、釣人が元節６を握ったときに手が滑りやすい傾向にあるという問題がある。もっとも、この滑りやすさについては、程度の問題であって釣りに大きな支障が生じる程度のものでないが、釣人にとっては、元節６を滑りなく確実に把持できるものであることが望ましい。
さらに、釣用リールの脚は、リールシート７のシート面１２に載置されるが、このとき、シート面１２に対する釣用ルールの脚の滑りが確実に防止されることもきわめて重要である（例えば、特許文献１参照）。
【０００４】
【特許文献１】
特開２００２−３６０１３０
【０００５】
そこで、本発明の目的は、滑りがなくて握りやすく、且つ釣用リールを確実に保持することができる釣竿を提供することである。
【０００６】
【課題を解決するための手段】
上記目的が達成されるため、本願に係る釣竿は、釣竿本体と、釣竿本体の所定部に設けられ、釣用リールが載置されるシート面が形成されたリールシートと、上記釣竿本体の所定部に装着され、当該所定部及び上記シート面の中央部を囲繞する環状滑止部材とを備えたことを特徴とするものである。
この構成によれば、釣竿本体の所定部、すなわちリールシートが設けられた部位及びリールシートのシート面が環状滑止部材によって覆われる。釣人は、実釣時においては、釣竿本体の上記所定部を把持するものであるから、釣人は、上記環状滑止部部材を介して釣竿本体を把持することになる。また、釣用リールは、その脚がシート面に載置されるから、当該脚は、上記環状滑止部材を介してシート面に載置される。
【０００７】
上記環状滑止部材は、熱収縮性チューブから構成されるのが好ましい。
これにより、環状滑止部材は、釣竿の組み立てが完成された後に、いわゆる後付により釣竿本体の所定部に簡単に取り付けられる。具体的には、環状滑止部材が釣竿本体の外側に嵌め込まれ、上記所定部に配置された後に収縮させられることで、釣竿本体に確実に位置決めされる。取り扱い性の容易の観点から、加熱によって収縮する熱収縮チューブが好ましく、熱収縮ゴムチューブが特に好ましい。
【０００８】
【発明の実施の形態】
以下、適宜図面が参照されつつ、好ましい実施形態に基づいて本発明が詳細に説明される。
【０００９】
図１は、本発明の一実施形態に係る釣竿２０の正面図である。
この釣竿２０は、いわゆるインナーガイドタイプの振出式釣竿である。釣竿２０は、釣竿本体２１と、これに装着されたリールシート２２とを備えている。リールシート２２は、釣竿本体２１の所定部（通常、元節２７の後端部近傍）に取り付けられている。実釣時においては、釣人は、このリールシート２２と共に釣竿本体２１を把持し、釣竿２０を操作する。
本実施形態に係る釣竿２０の特徴とするところは、このリールシート２２が設けられた部位にゴムチューブ３０（環状滑止部材）が装着されている点であり、これにより、釣人は、釣竿本体２１を確実に把持することができると共に、釣用リールがリールシート２２に確実に固定されるようになっている。
【００１０】
釣竿本体２１は、５つの筒状部材２３〜２７から構成されている。各筒状部材２３〜３７は、それぞれ「節」と称され、釣竿本体２１の先端側から順に第１番節２３、第２番節２４と称される。第４番節２６は、特に「元上節」と称され、第５番節２７は、特に「元節」と称される。各節２３〜２７は、既知の要領で構成される。例えば、カーボンプリプレグが所定形状に裁断され、これが筒状に巻回されることによって、円筒状の節２３〜２７が形成される。
なお、この釣竿２０では、元上節１６が元節１７に対して伸縮するズーム機構が搭載されている。もっともこのズーム機構は任意的なものであって、当該機構は省略される場合もある。また、本実施形態では、釣竿２０は、いわゆる振出式のインナーガイドタイプであるが、本発明は、釣竿の種類に関係なく、リールシートが設けられた種々の釣竿に適用される。
【００１１】
第１番節２３は第２番節２４の内部に引き出し自在に収容されている。また、第１番節２３の先端には、釣糸が導き出されるトップガイド２８が設けられている。第１番節２３はテーパ状に形成されており、先端部の外径よりも後端部の外径の方が大きくなるように形成されている。そして、第１番節２３の後端径は、第２番節２４の先端径よりも大きく設定されており、第１番節２３が第２番節２４から引き出された際に、第１番節２３の後端部分が第２番節２４の先端部分とかみ合って両者が固定されるようになっている。なお、第２番節２４と第３番節２５との関係及び第３番節２５と元上節２６との関係も同様である。
元上節２６の先端部分には図示しない釣糸導入孔が設けられており、この釣糸導入孔に釣糸を導くための導入ガイド２９が取り付けれている。なお、上記トップガイド２８及び導入ガイド２９は、既知の構成であるので、その詳しい説明は省略される。また、第２番節２４ないし元節２７の先端部には、当該部分の剛性を向上させ、隣り合う節のかみ合いを確実なものとするために、リングＲ１〜Ｒ４が装着されている。
【００１２】
図２は、釣竿２０の要部拡大正面図であり、リールシート２２が設けられた部位が詳細に図示されている。
リールシート２２は、釣用リール（図示せず）を着脱自在に保持するためのものであると共に、釣人が実釣時において釣竿２０を把持する部位であるから、いわゆるグリップを構成する。リールシート２２は、元節２７に取り付けられている。リールシート２２の取付位置（元節の後端からリールシートの中央部までの距離）は、特に限定されるものではないが、釣竿の種類に応じて１５０ｍｍ〜９００ｍｍの範囲で適宜設定され得る。
【００１３】
リールシート２２は、既知の構造であり、釣用リールの脚部３７の一方を収容保持するフード３１と、脚部３７の他方を収容保持する可動フード３２とを備えている。フード３１及び可動フード３２は、それぞれ座板３３、３４を備えており、これら座板３３、３４の上に支持されている。そして、座板３３、３４は、図示されていない固定板の上に設けられており、この固定板が所要の締結具（典型的には締結用糸）３６によって元節２７に締結固定されている。このように、固定板が元節２７に締結されることによって、リールシート２２が元節２７の所定部に固定されている。
【００１４】
座板３３には、図中左右方向に延びるスライド溝３８が形成されており、可動フード３２は、このスライド溝３８に係合しており、スライド溝３８に沿ってスライドされるようになっている。
座板３３、３４の上面は、釣用リールの脚部３７が載置されるシート面３５を構成している。そして、可動フード３２が図中左側へスライドされることによって、釣用リールの脚部３７は、シート面３５に載置された状態でフード３１と可動フード３２とによって挟持固定される。なお、可動フード３２が図中右側へスライドされることによって、釣用リールの脚部３７は開放され、釣用リールがリールシート２２から取り外される。
【００１５】
ゴムチューブ３０は、本実施形態では熱収縮性ゴム（具体的な材質が判明しているのであれば、ご記入ください）から構成されている。ゴムチューブ３０は、円筒状に形成されており、リールシート２２の中央部に嵌め込まれている。ゴムチューブ３０は、熱収縮性を有するから、リールシート２２の中央部に配置され、加熱されることによって、リールシート２２の中央部に密着される。
ゴムチューブ３０の長さ（図中左右方向の長さ）は、当該ゴムチューブ３０の両端部３９、４０が上記シート面３５を覆うことができる寸法に設定されており、１５ｍｍ〜６０ｍｍの範囲で適宜設定され得る。ただし、ゴムチューブ３０の長さは、上記両端部３９、４０が上記シート面３５を覆うことができるのであれば、リールシート２２のサイズに対応して自由に設計変更され得る。
【００１６】
本実施形態に係る釣竿２０では、上記ゴムチューブ３０が設けられているので、当該ゴムチューブ３０によって、釣人が釣竿本体２１を把持する部分（すなわち、上記グリップを構成する部分）及び上記シート面３５が覆われる。したがって、釣人は、ゴムチューブ３０を介して釣竿本体２１を把持することになり、また、釣用リールの脚部３７は、ゴムチューブ３０を介してシート面３５に載置される。
その結果、釣人は、手が滑ることなく確実に釣竿本体を把持することができ、釣竿２０を自在に操作することができる。しかも、釣用リールの脚部３７とシート面３５との間の滑りが防止されるから、釣用リールは、確実にリールシート２２に固定されるという利点がある。
【００１７】
特に本実施形態では、上記ゴムチューブ３０が熱収縮性ゴムチューブから構成されているので、ゴムチューブ３０の装着作業がきわめて簡単である。具体的には、ゴムチューブ３０の内径寸法が予め元節２７の外径よりも十分に大きく設定されることにより、まずゴムチューブ３０が元節２７の外側に嵌め込まれてリールシート２２が設けられた位置に配置される。そして、ゴムチューブ３０が加熱されることによって、当該ゴムチューブ３０が収縮し、当該位置に密着固定される。つまり、ゴムチューブ３０は、釣竿２０の組み立てが完成された後に、いわゆる後付作業によって元節２７に簡単に取り付けられるという利点がある。
【００１８】
もっとも、ゴムチューブ３０は、熱収縮性を備えた材料から構成される必要はなく、通常の弾性を備えたゴムにより構成されていてもよいことは勿論である。また、ゴムチューブ３０に代えて、他の材質（例えば樹脂等）からなる円筒状部材（環状滑止部材）が採用されていてもよい。さらに、ゴムチューブ３０の外形形状は、円筒状に限定されるものではなく、他の形状が採用されていてもよい。要するに、上記シート面３５及び元節２７の釣人が把持する部分を覆い、しかも、釣人の手及び釣用リールの脚部３７との間での滑りが防止され得る部材であれば種々のものが採用され得る。
【００１９】
【発明の効果】
以上のように本発明によれば、釣人は、環状滑止部材を介して釣竿本体を把持するから、滑りが生じることなく確実に釣竿を把持することができる。また、釣用リールの脚が上記環状滑止部材を介してシート面に載置されるから、釣用リールの脚とシート面との間に滑りが生じることはなく、釣用リールは、確実にリールシートに固定される。
【図面の簡単な説明】
【図１】図１は、本発明の一実施形態に係る釣竿の正面図である。
【図２】図２は、本発明の一実施形態に係る釣竿の要部拡大正面図である。
【図３】図３は、従来の一般的な磯釣用釣竿の正面図である。
【符号の説明】
２０・・・釣竿
２１・・・釣竿本体
２２・・・リールシート
２７・・・元節
３０・・・ゴムチューブ
３１・・・フード
３２・・・移動フード
３３・・・座板
３４・・・座板
３５・・・シート面
３６・・・締結具
３７・・・釣用リールの脚部
３８・・・スライド溝
３９・・・端部
４０・・・端部
【図１】
2005013060.tif 000003
【図２】
2005013060.tif 000004
【図３】
2005013060.tif 000005